(57)【特許請求の範囲】
【請求項１】
入水口、出水口及びそれらを連通させる水流路、並びに、この水流路と大気とを連通させる第１大気導入口及び第２大気導入口を備えた本体部と、
この本体部の中に配置された第１弁体と、
上記本体部の中の、上記第１弁体の下流側に配置された第２弁体と、を有し、
上記第１弁体は、通水時において、上記第１大気導入口を閉鎖し、上記入水口を開放して、上記入水口と、上記第１弁体と上記第２弁体の間の水流路とを連通させる第１の位置と、非通水時において、上記入水口を閉鎖し、上記第１大気導入口を開放して、上記第１大気導入口と、上記第１弁体と上記第２弁体の間の水流路とを連通させる第２の位置との間で移動可能であり、
上記第２弁体は、通水時において、上記第２大気導入口を閉鎖し、上記第１弁体と上記第２弁体の間の水流路を開放して、上記第１弁体と上記第２弁体の間の水流路と、上記出水口とを連通させる第１の位置と、非通水時において、上記第１弁体と上記第２弁体の間の水流路を閉鎖し、上記第２大気導入口を開放して、上記第２大気導入口と上記出水口を連通させる第２の位置との間で移動可能であり、
さらに、上記第１大気導入口から溢れ出た水を受ける水受け部材と、上記第２大気導入口から溢れ出た水を上記水受け部材に流入させる移送管路、を有することを特徴とするバキュームブレーカ。
【請求項２】
入水口、出水口及びそれらを連通させる水流路、並びに、この水流路と大気とを連通させる第１大気導入口及び第２大気導入口を備えた本体部と、
この本体部の中に配置された第１弁体と、
上記本体部の中の、上記第１弁体の下流側に配置された第２弁体と、を有し、
上記第１弁体は、通水時において、上記第１大気導入口を閉鎖し、上記入水口を開放して、上記入水口と、上記第１弁体と上記第２弁体の間の水流路とを連通させる第１の位置と、非通水時において、上記入水口を閉鎖し、上記第１大気導入口を開放して、上記第１大気導入口と、上記第１弁体と上記第２弁体の間の水流路とを連通させる第２の位置との間で移動可能であり、
上記第２弁体は、通水時において、上記第２大気導入口を閉鎖し、上記第１弁体と上記第２弁体の間の水流路を開放して、上記第１弁体と上記第２弁体の間の水流路と、上記出水口とを連通させる第１の位置と、非通水時において、上記第１弁体と上記第２弁体の間の水流路を閉鎖し、上記第２大気導入口を開放して、上記第２大気導入口と上記出水口を連通させる第２の位置との間で移動可能であり、
さらに、上記第２大気導入口から溢れ出た水を受ける水受け部材と、上記第１大気導入口から溢れ出た水を上記水受け部材に流入させる移送管路、を有することを特徴とするバキュームブレーカ。
【請求項３】
上記第１弁体と、上記第２弁体が異なる作動形式を有する請求項１又は２記載のバキュームブレーカ。
【請求項４】
上記第１弁体又は上記第２弁体は、その何れか一方が直動式の弁体であり、他方がスイング式の弁体である請求項３記載のバキュームブレーカ。
【請求項５】
請求項１乃至４の何れか１項に記載のバキュームブレーカと、
水道管と上記バキュームブレーカの上記入水口とを連通させ、又は、水道管と上記バキュームブレーカの上記入水口とを遮断させる主弁体と、
上記バキュームブレーカの出水口に接続された吐水管路と、
を有することを特徴とする給水弁装置。
【請求項６】
水道管直結式の水洗大便器に洗浄水を供給する給水弁装置であって、
上記水洗大便器のリム部に洗浄水を吐水させるリム吐水管路と、
このリム吐水管路に上記出水口が接続された、請求項１乃至４の何れか１項に記載のリム側のバキュームブレーカと、
上記水洗大便器のジェットノズルに洗浄水を吐水させるジェット吐水管路と、
このジェット吐水管路に上記出水口が接続された、請求項１乃至４の何れか１項に記載のジェット側のバキュームブレーカと、
水道管に接続され、止水状態と、吐水状態とを切り替える主弁体と、
上記水道管から供給され、上記主弁体を通過した洗浄水を、上記第１バキュームブレーカの上記入水口、又は上記第２バキュームブレーカの上記入水口に導く切り替え弁と、
を有することを特徴とする給水弁装置。
【請求項７】
ボール部と、このボール部の上方に形成されたリム部と、上記ボール部の底部に設けられたジェットノズルと、を備えた水洗大便器本体と、
請求項６記載の給水弁装置と、
を有することを特徴とする水洗大便器。
【発明の詳細な説明】
【技術分野】
【０００１】  本発明は、バキュームブレーカ及びそれを備えた給水弁装置、水洗大便器に係わる。
【背景技術】
【０００２】  近年、水道管に直結され、洗浄水が水道から直接供給されるタイプの水洗大便器が普及している。これらの水洗大便器では、洗浄水をボール部に供給する管路と水道管が、給水弁を介して直結されているため、断水等、何らかの原因で水道管の中に負圧が発生すると、水洗大便器側から水道管の中へ洗浄水が逆流することが考えられる。このため、このような水洗大便器には、逆流を阻止するためのバキュームブレーカが取り付けられている。特開２００１−１８２１２２号公報には、このような逆流を阻止するための、給水弁の下流側に設けられたバキュームブレーカを備えた洗浄水供給装置が記載されている。このバキュームブレーカは、通水時においては、給水弁と、水洗大便器に洗浄水を供給する配管とを連通させ、非通水時には、水洗大便器に洗浄水を供給する配管を大気に開放するものである。このようなバキュームブレーカでは、非通水時に洗浄水の配管を大気に開放することにより、万一、水道管の内部に負圧が発生した場合、水道管には大気が吸い込まれるので、配管内の水が水道管に逆流することはない。【０００３】
【特許文献１】：特開２００１−１８２１２２号公報
【発明の開示】
【発明が解決しようとする課題】
【０００４】  逆流を回避するために設けられているバキュームブレーカは、使用実績も十分であり故障や誤動作の可能性は、ほぼ無いものと考えられる。しかしながら、昨今はリスク管理の重要性が高まりつつあり、万が一の想定されるリスクに関しても対処しておく必要性が出てきている。このような考えからバキュームブレーカに関してもより一層の信頼性向上策を考える必要がある。
従って、本発明は、信頼性をより向上させたバキュームブレーカ及びそれを備えた給水弁装置、水洗大便器を提供することを目的としている。
【課題を解決するための手段】
【０００５】
上述した課題を解決するために、本発明のバキュームブレーカは、入水口、出水口及びそれらを連通させる水流路、並びに、この水流路と大気とを連通させる第１大気導入口及び第２大気導入口を備えた本体部と、この本体部の中に配置された第１弁体と、本体部の中の、第１弁体の下流側に配置された第２弁体と、を有し、第１弁体は、通水時において、第１大気導入口を閉鎖し、入水口を開放して、入水口と、第１弁体と第２弁体の間の水流路とを連通させる第１の位置と、非通水時において、入水口を閉鎖し、第１大気導入口を開放して、第１大気導入口と、第１弁体と第２弁体の間の水流路とを連通させる第２の位置との間で移動可能であり、第２弁体は、通水時において、第２大気導入口を閉鎖し、第１弁体と第２弁体の間の水流路を開放して、第１弁体と第２弁体の間の水流路と、出水口とを連通させる第１の位置と、非通水時において、第１弁体と第２弁体の間の水流路を閉鎖し、第２大気導入口を開放して、第２大気導入口と出水口を連通させる第２の位置との間で移動可能であり、さらに、第１大気導入口から溢れ出た水を受ける水受け部材と、第２大気導入口から溢れ出た水を水受け部材に流入させる移送管路、を有することを特徴としている。
【０００６】
このように構成された本発明においては、通水時において、第１弁体は第１大気導入口を閉鎖し、第２弁体は第２大気導入口を閉鎖し、入水口と出水口が連通され、入水口から出水口に水が流れる。また、非通水時においては、第１弁体は入水口を閉鎖し、第２弁体は第１弁体と第２弁体の間の水流路を閉鎖し、第１弁体と第２弁体の間の水流路は第１大気導入口と連通され、出水口は第２大気導入口と連通される。このように、非通水時において、入水口が閉鎖され、また、第１大気導入口が開放されているため、入水口の上流側で負圧が発生した場合にも、出水口の下流側の水が入水口の上流側に吸い込まれ、水が逆流するのを防止することができる。また、万一、第１弁体が誤動作して、非通水時に入水口が開放され、第１大気導入口が閉鎖されたままになったとしても、第２弁体が、第１弁体と第２弁体の間の水流路を閉鎖し、第２大気導入口を開放しているので、逆流を防止することができる。
また、このように構成された本発明においては、第１大気導入口から溢れ出た水は水受け部材に流入し、第２大気導入口から溢れ出た水は移送管路を通って水受け部材に流入する。
【０００７】
このように構成された本発明によれば、第１弁体又は第２弁体の何れかが誤動作した場合でも、逆流を防止することができるので、バキュームブレーカの信頼性を向上させることができる。
また、本発明のバキュームブレーカは、入水口、出水口及びそれらを連通させる水流路、並びに、この水流路と大気とを連通させる第１大気導入口及び第２大気導入口を備えた本体部と、この本体部の中に配置された第１弁体と、本体部の中の、第１弁体の下流側に配置された第２弁体と、を有し、第１弁体は、通水時において、第１大気導入口を閉鎖し、入水口を開放して、入水口と、第１弁体と第２弁体の間の水流路とを連通させる第１の位置と、非通水時において、入水口を閉鎖し、第１大気導入口を開放して、第１大気導入口と、第１弁体と第２弁体の間の水流路とを連通させる第２の位置との間で移動可能であり、第２弁体は、通水時において、第２大気導入口を閉鎖し、第１弁体と第２弁体の間の水流路を開放して、第１弁体と第２弁体の間の水流路と、出水口とを連通させる第１の位置と、非通水時において、第１弁体と第２弁体の間の水流路を閉鎖し、第２大気導入口を開放して、第２大気導入口と出水口を連通させる第２の位置との間で移動可能であり、さらに、第２大気導入口から溢れ出た水を受ける水受け部材と、第１大気導入口から溢れ出た水を水受け部材に流入させる移送管路、を有することを特徴としている。
【０００８】  また、本発明において、好ましくは、第１弁体と、第２弁体は異なる作動形式を有する。
このように構成された本発明においては、第１弁体と第２弁体が異なる作動形式を有するので、第１弁体と第２弁体が同一の原因で同時に誤動作する確率を極めて低くできるので、信頼性をより向上させることができる。
また、本発明において、好ましくは、第１弁体又は第２弁体は、その何れか一方が直動式の弁体であり、他方がスイング式の弁体である。【００１４】  また、本発明の給水弁装置は、上記何れかのバキュームブレーカと、水道管とバキュームブレーカの入水口とを連通させ、又は、水道管とバキュームブレーカの入水口とを遮断させる主弁体と、バキュームブレーカの出水口に接続された吐水管路と、を有することを特徴としている。【００１５】  また、本発明は、水道管直結式の水洗大便器に洗浄水を供給する給水弁装置であって、水洗大便器のリム部に洗浄水を吐水させるリム吐水管路と、このリム吐水管路に出水口が接続された、上記何れかのリム側のバキュームブレーカと、水洗大便器のジェットノズルに洗浄水を吐水させるジェット吐水管路と、このジェット吐水管路に出水口が接続された、上記何れかのジェット側のバキュームブレーカと、水道管に接続され、止水状態と、吐水状態とを切り替える主弁体と、水道管から供給され、主弁体を通過した洗浄水を、第１バキュームブレーカの入水口、又は第２バキュームブレーカの入水口に導く切り替え弁と、を有することを特徴としている。【００１６】  また、本発明の水洗大便器は、ボール部と、このボール部の上方に形成されたリム部と、ボール部の底部に設けられたジェットノズルと、を備えた水洗大便器本体と、上記の給水弁装置と、を有することを特徴としている。
【発明の効果】
【００１７】  本発明のバキュームブレーカ及びそれを備えた給水弁装置、水洗大便器によれば、その信頼性をより高めることができる。
【発明を実施するための最良の形態】
【００１８】  次に、添付図面を参照して、本発明の実施形態を説明する。
まず、図１乃至図６を参照して、本発明の第１実施形態による水洗大便器を説明する。図１は本実施形態による水洗大便器の上面図を示し、図２は側面断面図を示す。また、図３は本実施形態による水洗大便器に使用されている給水弁装置の上面図、図４は正面図、図５は側面図、図６は全断面図を示す。【００１９】  図１及び図２に示すように、本発明の第１実施形態による水洗大便器１は、水洗大便器本体２と、この水洗大便器本体２の後部に配置された給水弁装置４と、を有する。水洗大便器本体２は、ボール部６と、このボール部６の上端部に形成されたリム部８と、ボール部６の底部に配置されたジェットノズル１０と、ボール部６の底部から斜め上方に延び、下方に折り曲げられて排水配管Ｄに接続されるトラップ管路１２と、を有する。また、給水弁装置４は、水道管（図示せず）から供給された水道水を洗浄水としてリム部８及びジェットノズル１０に供給するように構成されている。給水弁装置４からの洗浄水は、ジェット吐水管路１４及びリム吐水管路１６を通ってジェットノズル１０及びにリム部８に夫々供給される。給水弁装置４は、水道管（図示せず）から供給された水道水を、リム部８→ジェットノズル１０→リム部８の順に所定時間ずつ吐水させる。【００２０】  図３乃至図６に示すように、給水弁装置４は、水道管に接続される給水弁装置入口１８と、この給水弁装置入口１８から流入した水道水である洗浄水の吐水、止水を切り替える主弁体２０と、この主弁体が着座する弁座２２と、この弁座２２を通って流入した洗浄水をリム部８又はジェットノズル１０に差し向ける切り替え弁であるローター２４と、を有する。【００２１】  また、給水弁装置４は、ローター２４によってリム部８の方に差し向けられた洗浄水が流入するリム側入水口２６と、このリム側入水口２６を開閉するリム側第１弁体２８と、このリム側第１弁体２８を通過した洗浄水が流入するリム側水流路３０と、リム側第１弁体２８の下流側に設けられたリム側第２弁体３２と、このリム側第２弁体３２を通過した洗浄水が流出するリム側出水口３４と、を有する。さらに、リム側第１弁体２８の上方には円筒状のリム側第１大気導入口３６が形成され、リム側第２弁体３２の上方にはリム側第２大気導入口３７が形成されている。また、リム側第１大気導入口３６の周囲にはリム側第１大気導入口３６を取り囲むように水受け部材３８が形成され、リム側第１大気導入口３６の上方にはリム側第１大気導入口３６を覆うリム側蓋３９が配置されている。さらに、リム側第２大気導入口３７の上方には、Ｌ字型のパイプであるリム側移送管路４０が接続されている。これらのリム側入水口２６、リム側第１弁体２８、リム側水流路３０、リム側第２弁体３２、リム側出水口３４、リム側第１大気導入口３６、リム側第２大気導入口３７、水受け部材３８、リム側蓋３９、及びリム側移送管路４０は、リム側バキュームブレーカを構成する。また、リム側入水口２６、リム側出水口３４、リム側水流路３０、リム側第１大気導入口３６、及びリム側第２大気導入口３７を構成している部材は、リム側バキュームブレーカの本体部を構成する。【００２２】  同様に、給水弁装置４は、ローター２４によってジェットノズル１���の方に差し向けられた洗浄水が流入するジェット側入水口４１と、このジェット側入水口４１を開閉するジェット側第１弁体４２と、このジェット側第１弁体４２を通過した洗浄水が流入するジェット側水流路４４と、ジェット側第１弁体４２の下流側に設けられたジェット側第２弁体４６と、このジェット側第２弁体４６を通過した洗浄水が流出するジェット側出水口４８と、を有する。さらに、ジェット側第１弁体４２の上方には円筒状のジェット側第１大気導入口５０が形成され、ジェット側第２弁体４６の上方にはジェット側第２大気導入口４９が形成されている。また、水受け部材３８は、ジェット側第１大気導入口５０の周囲を取り囲んでおり、ジェット側第１大気導入口５０の上方にはジェット側第１大気導入口５０を覆うジェット側蓋５１が配置されている。さらに、ジェット側第２大気導入口４９の上方には、Ｌ字型のパイプであるジェット側移送管路５２が接続されている。これらのジェット側入水口４１、ジェット側第１弁体４２、ジェット側水流路４４、ジェット側第２弁体４６、ジェット側出水口４８、ジェット側第１大気導入口５０、ジェット側第２大気導入口４９、水受け部材３８、ジェット側蓋５１、及びジェット側移送管路５２は、ジェット側バキュームブレーカを構成する。また、ジェット側入水口４１、ジェット側出水口４８、ジェット側水流路４４、ジェット側第１大気導入口５０、及びジェット側第２大気導入口４９を構成している部材は、ジェット側バキュームブレーカの本体部を構成する。【００２３】  さらに、給水弁装置４は、手動用主弁体５４と、この手動用主弁体５４が着座する弁座５６と、この弁座５６から連なる管路５６ａに設けられた回動板６０と、を有する。また、給水弁装置４は、手動用主弁体５４の圧力室５４ａ及び主弁体２０の圧力室２０ａ内の圧力を操作するための手動操作部５８を有する。【００２４】  水道管に接続される給水弁装置入口１８には、定流量弁１８ａが配置されており、給水弁装置４に所定流量の水道水が流入するようになっている。定流量弁１８ａの下流側の管路は弁座２２に連通しており、この弁座２２に隣接して主弁体２０が配置されている。主弁体２０が弁座２２から離座している吐水状態においては、給水弁装置入口１８から流入し、定流量弁１８ａを通った洗浄水は、弁座２２を通って弁座２２から連なる鉛直の管路２２ａの中に流入する。弁座２２とは反対の側の、主弁体２０の背面側には圧力室２０ａが形成されている。この圧力室２０ａは水道管と連通されており、止水状態においては、圧力室２０ａ内には水道水圧である一次圧が作用している。圧力室２０ａ内に一次圧が作用している状態においては、主弁体２０は圧力室２０ａ内の圧力によって上方に押され、主弁体２０は弁座２２に着座されて、止水状態となる。この圧力室２０ａには、電磁弁（図示せず）が設けられており、この電磁弁を閉鎖することにより圧力室２０ａ内に一次圧を作用させ、また、開放することにより圧力室２０ａ内の圧力を低下させることができる。電磁弁を開放することにより圧力室２０ａ内の圧力が低下すると、主弁体２０は弁座２２から離れ、吐水状態となる。【００２５】  ローター２４は、弁座２２の下流側に配置され、���座２２を通って管路２２ａに流入した洗浄水を、リム側又はジェット側に導くように構成されている。ローター２４は、扇形の部材によって構成され、この部材が中心軸２４ａを中心に回動することによって、管路２２ａをリム側入水口２６、又は、ジェット側入水口４１に連通させる。【００２６】  リム側第１弁体２８は、直動式の弁体であり、その下面及び上面にはパッキン２８ａ及び２８ｂが取り付けられている。止水状態においては、リム側第１弁体２８は、その自重により、パッキン２８ａがリム側入水口２６に形成されたシート面２６ａに着座して、リム側入水口２６を閉鎖している。このとき、リム側第１弁体２８とリム側第２弁体３２の間の水流路であるリム側水流路３０とリム側第１大気導入口３６は連通されている。また、吐水状態においては、リム側第１弁体２８は、流入する洗浄水の水勢により上方に押し上げられ、リム側第１弁体２８のパッキン２８ｂは、リム側第１大気導入口３６の下端に形成されているシート面３６ａに着座してリム側第１大気導入口３６が閉鎖される。このとき、リム側入水口２６とリム側水流路３０は連通される。【００２７】  また、リム側第１大気導入口３６は、リム側入水口２６等の流路断面積と同程度の断面積となるように構成されている。このため、水道管内に負圧が発生したとき、十分に大きな流量で大気を導入することができるので、リム側第１大気導入口３６の下流側にある洗浄水を吸い込む力を著しく弱めることができる。【００２８】  リム側第２弁体３２は、回動軸３２ａを中心に回動するスイング式の弁体であり、その前面及び後面にはパッキン３２ｂ及び３２ｃが取り付けられている。止水状態においては、リム側第２弁体３２は、その自重により、パッキン３２ｂがリム側水流路３０に形成されたシート面３０ａに着座して、リム側水流路３０を閉鎖している。このとき、リム側出水口３４とリム側第２大気導入口３７は連通されている。また、吐水状態においては、リム側第２弁体３２は、流入する洗浄水の水勢により上方に回動され、リム側第２弁体３２のパッキン３２ｃは、リム側第２大気導入口３７の下端に形成されているシート面３７ａに着座してリム側第２大気導入口３７が閉鎖される。このとき、リム側水流路３０とリム側出水口３４は連通される。また、リム側水流路３０に形成されたシート面３０ａは、鉛直よりも約５乃至１０°上方に向くように傾けて形成されているので、止水状態において、リム側第２弁体３２は、その自重により回動してシート面３０ａに確実に着座する。【００２９】  また、リム側第２大気導入口３７は、リム側水流路３０等の流路断面積と同程度の断面積となるように構成されている。このため、水道管内に負圧が発生したとき、十分に大きな流量で大気を導入することができるので、リム側第２大気導入口３７の下流側にある洗浄水を吸い込む力を著しく弱めることができる。【００３０】  水受け部材３８は、リム側第１大気導入口３６及びジェット側第１大気導入口５０の出口部分を取り囲むように形成された直方体状の水槽である。この水受け部材３８は、リム側第１弁体２８及びジェット側第１弁体４２が、各第１大気導入口３６、５０を閉鎖する際等に、各第１大気導入口３６、５０���ら溢れ出た洗浄水を受け入れるように構成されている。また、各第１大気導入口３６、５０の上方には、リム側蓋３９及びジェット側蓋５１が夫々配置されており、各第１大気導入口３６、５０から溢れ出た洗浄水が、水受け部材３８の外へ飛散しないように、各第１大気導入口３６、５０をカバーしている。また、水受け部材３８の底部には、水抜き穴３８ａが形成されており、この水抜き穴３８ａは、排水チューブ（図示せず）によりリム吐水管路１６に連通する水路に接続されている。これにより、各第１大気導入口３６、５０から溢れ出た洗浄水は、水受け部材３８に入り、水抜き穴３８ａを通ってリム吐水管路１６から排水される。【００３１】  リム側移送管路４０は、Ｌ字型に曲げられたパイプであり、リム側第２大気導入口３７の上方に取り付けられ、水受け部材３８の上方まで延びている。このリム側移送管路４０は、リム側第２大気導入口３７がリム側第２弁体３２によって閉鎖される際等に、リム側第２大気導入口３７から溢れ出た洗浄水を水受け部材３８に導くように構成されている。【００３２】  ジェット側第１弁体４２は、直動式の弁体であり、その下面及び上面にはパッキン４２ａ及び４２ｂが取り付けられている。止水状態においては、ジェット側第１弁体４２は、その自重により、パッキン４２ｂがジェット側入水口４１に形成されたシート面４１ａに着座して、ジェット側入水口４１を閉鎖している。このとき、ジェット側第１弁体４２とジェット側第２弁体４６の間の水流路であるジェット側水流路４４と、ジェット側第１大気導入口５０は連通されている。また、吐水状態においては、ジェット側第１弁体４２は、流入する洗浄水の水勢により上方に押し上げられ、ジェット側第１弁体４２のパッキン４２ａは、ジェット側第１大気導入口５０の下端に形成されているシート面５０ａに着座してジェット側第１大気導入口５０が閉鎖される。このとき、ジェット側入水口４１とジェット側水流路４４は連通される。【００３３】  また、ジェット側第１大気導入口５０は、ジェット側入水口４１等の流路断面積と同程度の断面積となるように構成されている。このため、水道管内に負圧が発生したとき、十分に大きな流量で大気を導入することができるので、ジェット側第１大気導入口５０の下流側にある洗浄水を吸い込む力を著しく弱めることができる。【００３４】  ジェット側第２弁体４６は、回動軸４６ａを中心に回動するスイング式の弁体であり、その前面及び後面にはパッキン４６ｂ及び４６ｃが取り付けられている。止水状態においては、ジェット側第２弁体４６は、その自重により、パッキン４６ｂがジェット側水流路４４に形成されたシート面４４ａに着座して、ジェット側水流路４４を閉鎖している。このとき、ジェット側出水口４８とジェット側第２大気導入口４９は連通されている。また、吐水状態においては、ジェット側第２弁体４６は、流入する洗浄水の水勢により上方に回動され、ジェット側第２弁体４６のパッキン４６ｃは、ジェット側第２大気導入口４９の下端に形成されているシート面４９ａに着座してジェット側第２大気導入口４９が閉鎖される。このとき、ジェット側水流路４４とジェット側出水口４８は連通される。また、ジェット側水流路��４に形成されたシート面４４ａは、鉛直よりも約５乃至１０°上方に向くように傾けて形成されているので、止水状態において、ジェット側第２弁体４６は、その自重により回動してシート面４４ａに確実に着座する。【００３５】  また、ジェット側第２大気導入口４９は、ジェット側水流路４４等の流路断面積と同程度の断面積となるように構成されている。このため、水道管内に負圧が発生したとき、十分に大きな流量で大気を導入することができるので、ジェット側第２大気導入口４９の下流側にある洗浄水を吸い込む力を著しく弱めることができる。【００３６】  ジェット側移送管路５２は、Ｌ字型に曲げられたパイプであり、ジェット側第２大気導入口４９の上方に取り付けられ、水受け部材３８の上方まで延びている。このジェット側移送管路５２は、ジェット側第２大気導入口４９がジェット側第２弁体４６によって閉鎖される際等に、ジェット側第２大気導入口４９から溢れ出た洗浄水を水受け部材３８に導くように構成されている。【００３７】  手動用主弁体５４は、主弁体２０の側方に配置され、弁座５６に着座されている。弁座５６の周囲には給水弁装置入口１８から供給された水道水が充満しているが、通常使用時には手動用主弁体５４は常に閉鎖されており、この水道水が弁座５６の中に流入することはない。また、手動用主弁体５４の背面側には、圧力室５４ａが形成されており、この圧力室５４ａ内の水道水の一次圧により、手動用主弁体５４を弁座５６に押し付けている。通常使用時においては、圧力室５４ａ内の圧力は常に一次圧に保持されている。【００３８】  回動板６０は、管路５６ａの上端部に回動可能に取り付けられ、洗浄水が弁座５６を通って管路５６ａ内に流入したときは、ローター２４からジェット側入水口４１に至る流路を閉鎖し、洗浄水がローター２４から流入したときは管路５６ａを閉鎖するように構成されている。また、手動操作部５８は、停電等により電磁弁（図示せず）が作動しないとき、使用者が操作して、手動で圧力室２０ａ及び５４ａの圧力を操作できるように構成されている。【００３９】  次に、図１乃至図６を参照して、本発明の第１実施形態による水洗大便器１の作用を説明する。
まず、水洗大便器１の使用者が洗浄操作を行う前の待機状態においては、圧力室２０ａ及び５４ａは閉鎖された状態にあり、これらの圧力室内には、水道の一次圧が作用している。このため、主弁体２０及び手動用主弁体５４は、各圧力室内の圧力により弁座２２及び５６に夫々押し付けられ、止水状態になっている。また、ローター２４は、管路２２ａとリム側入水口２６を連通させ、管路２２ａとジェット側入水口４１の間を遮断する位置にある。さらに、リム側第１弁体２８はその自重によりシート面２６ａに着座され、リム側入水口２６を閉鎖し、ジェット側第１弁体４２は、その自重によりシート面４１ａに着座され、ジェット側入水口４１を閉鎖している。また、リム側第２弁体３２は、その自重により最も下方に回動され、シート面３０ａに着座して、リム側水流路３０を閉鎖している。同様に、ジェット側第２弁体４６は、その自重により最も下方に回動され、シート面４４ａに着座して、ジェット側水流路４４を閉鎖している。この状態においては、リム側第１大気導入口３６、リム側第２大気導入口３７、ジェット側第１大気導入口５０、及びジェット側第２大気導入口４９は、夫々開放されている。【００４０】  次に、使用者が水洗大便器１の洗浄操作を行うと、電磁弁（図示せず）が開放され、圧力室２０ａ内の圧力が低下する。圧力室２０ａ内の圧力が低下すると、主弁体２０を弁座２２に着座させている圧力が減少し、主弁体２０が弁座２２から離れ、吐水状態となる。主弁体２０が開くと、給水弁装置入口１８から流入した洗浄水は、定流量弁１８ａを経て弁座２２から管路２２ａに流入する。前述した通り、ローター２４は管路２２ａとリム側入水口２６を連通させる状態にあるので、管路２２ａに流入した洗浄水は、リム側入水口２６に到達する。リム側入水口２６に到達した洗浄水は、その水勢によりリム側第１弁体２８を押し上げ、リム側入水口２６を開く。吐水状態となった後、十分な時間が経過すると、リム側第１弁体２８は、リム側第１大気導入口３６下端のシート面３６ａに当接し、リム側第１大気導入口３６は閉鎖されるが、リム側第１弁体２８が上方に移動する過渡状態においては、リム側入水口２６及びリム側第１大気導入口３６が両方とも開放された状態となる。この間にリム側第１大気導入口３６の上端から溢れ出た洗浄水は、その一部がリム側蓋３９に当たって水受け部材３８の中に落下し、残りは再びリム側第１大気導入口３６の中に落ちる。【００４１】  リム側入水口２６を通ってリム側水流路３０に流入した洗浄水は、その水勢によりリム側第２弁体３２を回動させ、リム側水流路３０を開いてリム側出水口３４に到達する。吐水状態となった後、十分な時間が経過すると、リム側第２弁体３２は、リム側第２大気導入口３７下端のシート面３７ａに当接し、リム側第２大気導入口３７は閉鎖されるが、リム側第２弁体３２が上方に向かって回動する過渡状態においては、リム側水流路３０及びリム側第２大気導入口３７が両方とも開放された状態となる。この間にリム側第２大気導入口３７の上端から溢れ出た洗浄水は、その一部がリム側移送管路４０を通って水受け部材３８の中に落下し、残りは再びリム側第２大気導入口３７の中に落ちる。水受け部材��８の中に流入した洗浄水は、水抜き穴３８ａ、及び排水チューブ（図示せず）を通って、リム吐水管路１６から排出される。【００４２】  リム側出水口３４から流出した洗浄水は、リム吐水管路１６を通ってリム部８に供給され、ボール部６の中を旋回しながら下方に流れ、ボール部６の内壁面を洗浄する。リム部８に所定時間洗浄水を給水した後、ローター２４が回動し、管路２２ａとジェット側入水口４１を連通させ、管路２２ａとリム側入水口２６の間を遮断する位置に移動する。本実施形態では、大洗浄の場合において、２０Ｌ／ｍｉｎの流量で約５秒間リム部８に給水した後、小洗浄の場合において、２０Ｌ／ｍｉｎの流量で約３秒間リム部８に給水した後、ジェット給水に切り替えられる。【００４３】  ローター２４が管路２２ａとジェット側入水口４１を連通させた状態においては、管路２２ａに流入した洗浄水はジェット側入水口４１に到達する。ジェット側入水口４１に到達した洗浄水は、その水勢によりジェット側第１弁体４２を押し上げ、ジェット側入水口４１を開く。ジェット給水に切り替えられた後、十分な時間が経過すると、ジェット側第１弁体４２は、ジェット側第１大気導入口５０下端のシート面５０ａに当接し、ジェット側第１大気導入口５０は閉鎖されるが、ジェット側第１弁体４２が上方に移動する過渡状態においては、ジェット側入水口４１及びジェット側第１大気導入口５０が両方とも開放された状態となる。この間にジェット側第１大気導入口５０の上端から溢れ出た洗浄水は、その一部がジェット側蓋５１に当たって水受け部材３８の中に落下し、残りは再びジェット側第１大気導入口５０の中に落ちる。【００４４】  ジェット側入水口４１を通ってジェット側水流路４４に流入した洗浄水は、その水勢によりジェット側第２弁体４６を回動させ、ジェット側水流路４４を開いてジェット側出水口４８に到達する。ジェット給水に切り替えられた後、十分な時間が経過すると、ジェット側第２弁体４６は、ジェット側第２大気導入口４９下端のシート面４９ａに当接し、ジェット側第２大気導入口４９は閉鎖されるが、ジェット側第２弁体４６が上方に向かって回動する過渡状態においては、ジェット側水流路４４及びジェット側第２大気導入口４９が両方とも開放された状態となる。この間にジェット側第２大気導入口４９の上端から溢れ出た洗浄水は、その一部がジェット側移送管路５２を通って水受け部材３８の中に落下し、残りは再びジェット側第２大気導入口４９の中に落ちる。【００４５】  ジェット側出水口４８から流出した洗浄水は、ジェット吐水管路１４を通ってジェットノズル１０に供給され、トラップ管路１２内に洗浄水を充填させてサイホン作用を発生させる。このサイホン作用により、ボール部６内の洗浄水及び汚物がトラップ管路１２の中に吸引され、洗浄水及び汚物を排水配管Ｄに排出する。ジェットノズル１０に所定時間洗浄水を給水した後、再びローター２４が回動し、管路２２ａとリム側入水口２６を連通させ、管路２２ａとジェット側入水口４１の間を遮断する位置に移動する。本実施形態では、大洗浄の場合において、２０Ｌ／ｍｉｎの流量で約５秒間ジェットノズル１０に給水した後、小洗浄の場合において、２０Ｌ／ｍｉｎの流量で約４秒間ジェットノズル１０に給水した後、リム給水に切り替えられる。【００４６】  リム給水に切り替えられた後、再び所定時間リム給水が行われ、ボール部６内の水位が規定溜水面まで回復される。所定時間のリム給水を行った後、電磁弁（図示せず）が閉鎖され、これにより圧力室２０ａ内の圧力が水道の一次圧に復帰し、主弁体２０が着座されて止水状態となる。本実施形態では、大洗浄、小洗浄の場合とも、２０Ｌ／ｍｉｎの流量で約４秒間リム部８に給水した後、リム給水を終了する。止水状態になると、水勢により開放されていたリム側第１弁体２８、ジェット側第１弁体４２、リム側第２弁体３２、及びジェット側第２弁体４６は、それらの自重により下方に移動されて待機状態の位置に復帰し、１回の洗浄作用が終了する。【００４７】  次に、本発明の第１実施形態の水洗大便器１の手動による洗浄作用を説明する。この手動による洗浄操作は、停電等により電磁弁（図示せず）が作動しなくなった場合に行われるものである。まず、使用者が手動操作部５８を回転操作すると、カム機構（図示せず）により圧力室２０ａ内の圧力が開放され、主弁体２０が弁座２２から離れて、洗浄水がリム部８から吐水される。リム部８から所定時間吐水を行った後、使用者が手動操作部５８を逆方向に回転操作すると、今度は、カム機構（図示せず）により圧力室５４ａ内の圧力が開放され、手動用主弁体５４が弁座５６から離れて、洗浄水が弁座５６から管路５６ａに流入する。管路５６ａに流入した洗浄水は、その水勢により回動板６０を押し上げ、管路５６ａとジェット側入水口４１を連通させる。ジェット側入水口４１に流入した洗浄水はジェットノズル１０から吐水される。ジェットノズル１０から所定時間吐水させた後、使用者が再び手動操作部５８を最初の操作と同じ方向に回転操作すると、再びリム部８から吐水が行われる。このように、使用者が手動操作部５８を操作することにより、水洗便器の洗浄を行うことができる。【００４８】  次に、バキュームブレーカの作用を説明する。
リム給水時において、洗浄水を供給する水道の断水等、何らかの原因により、給水弁装置入口１８付近の管路内に負圧が発生すると、管路２２ａからリム吐水管路１６に至る水路に充満している洗浄水が、給水弁装置入口１８の方に吸引される。洗浄水が逆流する方向に吸引されると、シート面３６ａに当接してリム側第１大気導入口３６を閉鎖しているリム側第１弁体２８が下方に引かれ、リム側第１大気導入口３６が開放される。リム側第１大気導入口３６が開放されると、大気がリム側第１大気導入口３６を通って水流路に吸入されるようになる。これにより、リム側第１弁体２８の上流側で負圧が発生しても、その負圧を打ち消すようにリム側第１大気導入口３６から外気が導入されるので、リム側第１弁体２８の下流側の洗浄水は、その上流側の負圧の影響を受けにくくなる。本実施形態においては、リム側第１大気導入口３６の断面積を、水流路の断面積と同程度に構成しているので、大量の外気を吸入することができ、上流側の負圧の影響を十分に遮断することができる。【００４９】  また、リム側第１弁体２８がシート面３６ａから離れた後、リム側第１弁体２８が下方に移動して、リム側入水口２６のシート面２６ａに当接すると、リム側入水口２６が閉鎖されるので、リム側第１弁体２８の上流側の負圧の影響は、その下流側には及ばなくなる。これにより、リム側第１弁体２８の下流の洗浄水が、上流側に逆流することが防止される。【００５０】  また、経年変化等、何らかの原因で、リム側第１弁体２８が正常に作動しなくなり、リム側第１弁体２８がリム側第１大気導入口３６を閉鎖したままになった場合には、リム側第１弁体２８の上流側の負圧の影響が、リム側水流路３０に及ぶことになる。この場合には、リム側水流路３０内の負圧の発生により、シート面３７ａに当接していたリム側第２弁体３２が下方に回動される。リム側第２弁体３２が下方に回動され、リム側第２大気導入口３７が開放される。リム側第２大気導入口３７が開放されると、大気がリム側第２大気導入口３７を通って水流路に吸入されるようになる。これにより、リム側第２弁体３２の上流側で負圧が発生しても、その負圧を打ち消すようにリム側第２大気導入口３７から外気が導入されるので、リム側第２弁体３２の下流側の洗浄水は、その上流側の負圧の影響を受けにくくなる。本実施形態においては、リム側第２大気導入口３７の断面積を、水流路の断面積と同程度に構成しているので、大量の外気を吸入することができ、上流側の負圧の影響を十分に遮断することができる。【００５１】  また、リム側第２弁体３２がシート面３７ａから離れた後、リム側第２弁体３２が下方に回動して、リム側水流路３０のシート面３０ａに当接すると、リム側水流路３０が閉鎖されるので、リム側第２弁体３２の上流側の負圧の影響は、その下流側には及ばなくなる。これにより、リム側第１弁体２８が正常に作動しなくなった場合でも、リム側第２弁体３２の下流の洗浄水が、上流側に逆流することが防止される。【００５２】  同様に、ジェット給水時において、洗浄水を供給する水道の断水等、何らかの原因により、給水弁装置入口１８付近の管路内に負圧が発生した場合には、ジェット側第１弁体４２及びジェット側���２弁体４６の作用により、洗浄水の逆流が防止される。即ち、ジェット側第１弁体４２の上流側が負圧になった場合には、ジェット側第１弁体４２が下方に移動してジェット側第１大気導入口５０が開放されて大気が導入されると共に、ジェット側入水口４１が閉鎖されて、上流側の負圧の影響が遮断される。また、ジェット側第１弁体４２が正常に作動しない場合には、ジェット側第２弁体４６が下方に回動してジェット側第２大気導入口４９が開放されて大気が導入されると共に、ジェット側水流路４４が閉鎖されて、上流側の負圧の影響が遮断される。【００５３】  リム側第１弁体２８、及びリム側第２弁体３２が正常に作動しなくなる原因として、弁体の摺動部にゴミ等が挟まる場合、パッキンがシート面に貼り付く場合等、種々のものが考えられる。しかしながら、リム側第１弁体２８は直動式、リム側第２弁体３２はスイング式の弁体であり、その作動形式が異なるため、同一の原因で同時に作動しなくなる確率は極めて低いものと考えられる。同様に、ジェット側第１弁体４２及びジェット側第２弁体４６が同一の原因で同時に作動しなくなる確率も極めて低いものと考えられる。【００５４】  本発明の第１実施形態の水洗大便器によれば、リム給水の水路、ジェット給水の水路とも、負圧の影響を遮断するための弁体が直列に２つずつ設けられているので、どちらか一方の弁体が正常に作動しないことがあったとしても、洗浄水の逆流を非常に高い信頼性をもって遮断することができる。
また、本発明の第１実施形態の水洗大便器によれば、リム給水の水路、ジェット給水の水路に夫々設けられている２つの弁体が、異なる作動形式を有しているため、同一の原因で故障する確率が低く、同一の作動形式の弁体を２重に設けた場合よりもより信頼性を向上させることができる。
さらに、本発明の第１実施形態の水洗大便器によれば、各大気導入口が水流路と同程度の大きな断面積を有しているため、上流側での負圧発生時に大量の外気を吸入することができ、効果的に負圧の影響を遮断することができる。【００５５】  上述した第１実施形態の水洗大便器は、旋回流によりボール部６の壁面を洗浄するタイプのものであったが、本発明を、ボックスリムタイプ、オープンリムタイプ等任意の形式の水洗大便器に適用することができる。また、上述した実施形態は、本発明の給水弁装置を水洗大便器に適用したものであるが、本発明の給水弁装置を他の機器に適用してもよい。さらに、上述した実施形態は、本発明のバキュームブレーカを、水洗大便器の給水弁装置に適用したものであるが、本発明のバキュームブレーカを他の給水弁装置又は他の機器に適用することもできる。【００５６】  次に、図７を参照して、本発明の第２実施形態の水洗大便器を説明する。本発明の第２実施形態の水洗大便器は、給水弁装置に使用されているバキュームブレーカの構成が第１実施形態とは異なる。従って、ここでは、本発明の第２実施形態の第１実施形態とは異なる点のみを説明し、同様の構成要素には同一の符号を付し説明を省略する。【００５７】  図７は、本発明の第２実施形態の水洗大便器に使用される給水弁装置のバキュームブレーカの部分を示す拡大断面図である。図７に示すように、本実施形態に使用されるバキュームブレーカ７０は、リム側弁体７２と、ジェット側弁体７４と、リム側弁体７２の上方に開口するリム側大気導入口７６と、ジェット側弁体７４の上方に開口するジェット側大気導入口７８と、を有する。また、バキュームブレーカ７０は、リム側大気導入口７６及びジェット側大気導入口７８を取り囲むように形成された水受け部材３８と、リム側大気導入口７６の上方に配置されたリム側蓋３９と、ジェット側大気導入口７８の上方に配置されたジェット側蓋５１と、を有する。さらに、バキュームブレーカ７０は、リム側弁体７２及びジェット側弁体７４の動きを検出する作動検出手段であるホールＩＣ８０と、このホールＩＣ８０の検出信号に基づいて給水弁装置を制御する制御手段であるコントローラ８２と、を有する。【００５８】  リム側弁体７２は、非通水時においては、リム側入水口２６のシート面２６ａに当接してリム側入水口２６を閉鎖し、リム側大気導入口７６とリム側出水口３４を連通させている。また、リム側弁体７２は、通水時においては、洗浄水の水勢により上方に移動して、リム側大気導入口７６のシート面７６ａに当接してリム側大気導入口７６を閉鎖し、リム側入水口２６とリム側出水口３４を連通させている。【００５９】  同様に、ジェット側弁体７４は、非通水時においては、ジェット側入水口４１のシート面４１ａに当接してジェット側入水口４１を閉鎖し、ジェット側大気導入口７８とジェット側出水口４８を連通させている。また、ジェット側弁体７４は、通水時においては、洗浄水の水勢により上方に移動して、ジェット側大気導入口７８のシート面７８ａに当接してジェット側大気導入口７８を閉鎖し、ジェット側入水口４１とジェット側出水口４８を連通させている。
ホールＩＣ８０は、リム側入水口２６とジェット側入水口４１の間の壁面の中に埋め込まれている。また、リム側弁体７２及びジェット側弁体７４には、磁気が付与されており、それらの動きがホールＩＣ８０によって検出されるようになっている。【００６０】  コントローラ８２は、ホールＩＣ８０に接続され、ホールＩＣ８０の出力信号が入力されるように構成されている。コントローラ８２は、ホールＩＣ８０から送られた信号に、異常を検出すると、警報を発し、また、給水弁装置に接続された水道配管を遮断するように構成されている。
次に、本発明の第２実施形態の水洗大便器の作用を説明する。使用者の操作により、リム部及びジェットノズルから順次吐水が行われる作用は、本発明の第１実施形態の水洗大便器と同一であるので、説明を省略する。また、リム側弁体７２とジェット側弁体７４の作用は、第１実施形態におけるリム側第１弁体２８とジェット側第１弁体４２の作用と同一であるので、説明を省略する。【００６１】  ここでは、ホールＩＣ８０及びコントローラ８２の作用を説明する。ホールＩＣ８０は、その近傍で磁気を帯びたものが移動すると、それを検出し、信号を発生する。本実施形態においては、リム側弁体７２及びジェット側弁体７４には磁気が付与されているので、リム側弁体７２及びジェット側弁体７４の移動がホールＩＣ８０によって検出される。バキュームブレーカが正常に作動している場合、リム側弁体７２は、リム給水が行われているとき上方に移動し、リム給水が終了すると下方に移動する。また、ジェット側弁体７４は、ジェット給水が行われているとき上方に移動し、ジェット給水が終了すると下方に移動する。ホールＩＣ８０は、リム側弁体７２及びジェット側弁体７４の移動を検出し、検出した信号をコントローラ８２に送る。コントローラ８２は、ホールＩＣ８０から送られた信号が、リム側弁体７２及びジェット側弁体７４の正常な作動を示すものであれば、特に、警報を発することはない。コントローラ８２は、ホールＩＣ８０の信号が誤作動を示す場合には、警報を発してバキュームブレーカの異常を使用者に知らせる。例えば、リム給水が終了した後にも、リム側弁体７２が下方に移動したことを示す信号がコントローラ８２に入力されない場合には、リム側弁体７２がリム側大気導入口７６のシート面７６ａに貼り付いて、リム側大気導入口７６が閉鎖されたままになっていることが想定されるので、コントローラ８２は、ＬＥＤの点滅、警告音等によって警報を発する。或いは、コントローラ８２が誤動作を検出した場合、コントローラ８２が給水弁装置と水道管路との連通を遮断するように構成してもよい。【００６２】  本発明の第２実施形態の水洗大便器によれば、コントローラがバキュームブレーカの作動を監視し、誤動作が検出された場合には警告を発し、又は水道管との間の連通を遮断するので、バキュームブレーカの信頼性を高め、洗浄水の水道への逆流を防止することができる。
また、図８に示す構成により、洗浄水の水道への逆流を防止することもできる。図８は、給水弁装置の給水弁装置の入口付近の拡大断面図を示す。給水弁装置９０は、水道に接続され、給水弁装置の中に水道水を導く入口管路９１と、この入口管路９１の内部の水圧を測定する圧力センサ９２と、この圧力センサ９２が検出した圧力に基づいて、入口管路９１の上流側に接続されたバルブ９６を制御するコントローラ９４と、を有する。【００６３】  圧力センサ９２は、水道に接続されている給水弁装置の入口管路９１に取り付けられ、入口管路９１内の圧力を測定する。圧力センサ９２によって検出された信号は、コントローラ９４に入力される。コントローラ９４は、圧力センサ９２が検出した圧力が所定の圧力以下になると、バルブ９６に制御信号を送り、バルブ９６を遮断する。
このように構成された給水弁装置によれば、入口管路９１内の圧力が所定の圧力以下になり、逆流の危険が生じた際に、入口管路９１の上流側に配置されたバルブ９６を遮断するので、給水弁装置から水道への逆流を防止することができる。
【図面の簡単な説明】
【００６４】［図１］本発明の第１実施形態による水洗大便器の上面図である。
［図２］本発明の第１実施形態による水洗大便器の側面断面図である。
［図３］本発明の第１実施形態による水洗大便器に使用されている給水弁装置の上面図である。
［図４］本発明の第１実施形態による水洗大便器に使用されている給水弁装置の正面図である。
［図５］本発明の第１実施形態による水洗大便器に使用されている給水弁装置の側面図である。
［図６］本発明の第１実施形態による水洗大便器に使用されている給水弁装置の全断面図である。
［図７］本発明の第２実施形態の水洗大便器に使用される給水弁装置のバキュームブレーカの部分を示す拡大断面図である。
［図８］給水弁装置の給水弁装置の入口付近の拡大断面図を示す。
【符号の説明】
【００６５】  １    本発明の第１実施形態による水洗大便器
２    水洗大便器本体
４    給水弁装置
６    ボール部
８    リム部
１０  ジェットノズル
１２  トラップ管路
１４  ジェット吐水管路
１６  リム吐水管路
１８  給水弁装置入口
２０  主弁体
２２  弁座
２４  ローター
２６  リム側入水口
２８  リム側第１弁体
３０  リム側水流路
３２  リム側第２弁体
３４  リム側出水口
３６  リム側第１大気導入口
３７  リム側第２大気導入口
３８  水受け部材
３９  リム側蓋
４０  リム側移送管路
４１  ジェット側入水口
４２  ジェット側第１弁体
４４  ジェット側水流路
４６  ジェット側第２弁体
４８  ジェット側出水口
４９  ジェット側第２大気導入口
５０  ジェット側第１大気導入口
５１  ジェット側蓋
５２  ジェット側移送管路
５４  手動用主弁体
５６  弁座
５８  手動操作部
６０  回動板
７０  本発明の第２実施形態に使用されるバキュームブレーカ
８０  ホールＩＣ
８２  コントローラ
９０  給水弁装置
９１  入口管路
９２  圧力センサ
９４  コントローラ
９６  バルブ
【図１】
0004304723.tif 000002
【図２】
0004304723.tif 000003
【図３】
0004304723.tif 000004
【図４】
0004304723.tif 000005
【図５】
0004304723.tif 000006
【図６】
0004304723.tif 000007
【図７】
0004304723.tif 000008
【図８】
0004304723.tif 000009